(57)【要約】【課題】オフセット輪転印刷機のバリアブルカットオフ輪転機等において、印刷ユニットの版胴の版替えを楽な姿勢で容易に行なえるようにした版替え方法及び装置を実現する。【解決手段】ウェブ１１の走行路に沿って間隔を置いて配置された複数の印刷ユニット０５ａ〜０５ｄ間に架設された足場から版胴に巻回された刷版を取り替える際に、該足場のうち版交換作業する側の一部を分割し、該分割足場３０を昇降可能に構成し、該印刷ユニットでウェブを両面からニップするブランケット胴１７ａ、１７ｂ間に隙間をもたせることによりインフィード部０４から乾燥部０７に亘る領域でウェブ１１の開放領域を形成するステップと、該開放領域におけるウェブのたるみを利用して該分割足場の下面でウェブを押し下げながら、該分割足場を上側版胴１５ａの版替えに都合の良い位置まで降下させるステップと、該分割足場上で該上側版胴の版替えを行なうステップとからなる。【選択図】図１
2008087360.tif 000002
【特許請求の範囲】
【請求項１】
ウェブの走行路に沿って間隔を置いて配置された複数の印刷ユニット間に架設された足場から版胴に巻回された刷版を取り替えるオフセット輪転印刷機の版替え方法において、
前記足場のうち、版交換作業する側の一部を分割し、ウェブ走行路の上方で昇降可能に配置し、
前記印刷ユニットでウェブを両面からニップするブランケット胴間に隙間をもたせることによりインフィード部から該印刷ユニットを経て乾燥部に亘る領域でウェブの開放領域を形成するステップと、
該開放領域におけるウェブのたるみを利用して該分割された足場の下面でウェブを押し下げながら、該分割足場を上側版胴の版替えに都合の良い位置まで降下させるステップと、
その後該分割足場上で上側版胴の版替えを行なうステップとからなることを特徴とするオフセット輪転印刷機の版替え方法。
【請求項２】
ウェブの走行路に沿って間隔を置いて配置された複数の印刷ユニット間に架設された足場から版胴に巻回された刷版を取り替えるオフセット輪転印刷機の版替え方法において、
前記足場をウェブ走行路の上方で昇降可能に配置し、
前記印刷ユニットでウェブを両面からニップするブランケット胴間に隙間をもたせることによりインフィード部から該印刷ユニットを経て乾燥部に亘る領域でウェブの開放領域を形成するステップと、
給紙部又はインフィード部でウェブ送りを行なってインフィード部から該印刷ユニットを経て乾燥部に亘る領域でウェブのたるみを生じさせるステップと、
該ウェブのたるみを利用して該足場の下面でウェブを押し下げながら該足場を最下部付近まで降下させるステップと、
その後該足場上で上側版胴の版替えを行なうステップとからなることを特徴とするオフセット輪転印刷機の版替え方法。
【請求項３】
前記分割足場又は足場の下面を低摩擦面となるように表面処理又は表面加工することを特徴とする請求項１又は２のいずれかに記載のオフセット輪転印刷機の版替え方法。
【請求項４】
前記分割足場又は足場の下部に設けられたガイド手段によりウェブを走行方向にガイドしながら該足場下面でウェブを押し下げるようにすることを特徴とする請求項１乃至３のいずれか１項に記載のオフセット輪転印刷機の版替え方法。
【請求項５】
ウェブの走行路に沿って間隔を置いて配置された複数の印刷ユニット間に足場を架設し、該足場から版胴に巻回された刷版を取り替えるオフセット輪転印刷機の版替え装置において、
前記足場をウェブ走行路の上方に配置するとともに、該足場のうち、版交換作業する側の一部を分割して上下に昇降可能に構成し、
前記印刷ユニットでウェブを両面からニップするブランケット胴間に隙間をもたせることによりインフィード部から該印刷ユニットを経て乾燥部に亘る領域でウェブの開放領域を形成する手段と、
版替え時に該開放領域におけるウェブのたるみを利用して該分割された足場の下面でウェブを押し下げながら該分割足場を降下させるとともに、版替え終了後、該足場を元の位置に上昇させる足場昇降手段とを備えたことを特徴とするオフセット輪転印刷機の版替え装置。
【請求項６】
ウェブの走行路に沿って間隔を置いて配置された複数の印刷ユニット間に足場を架設し、該足場から版胴に巻回された刷版を取り替えるオフセット輪転印刷機の版替え装置において、
前記足場をウェブ走行路の上方に昇降可能に配置し、
前記印刷ユニットでウェブを両面からニップするブランケット胴間に隙間をもたせることによりインフィード部から該印刷ユニットを経て乾燥部に亘る領域でウェブの開放領域を形成する手段と、
給紙部又はインフィード部でウェブ送りを行なって該開放領域でウェブのたるみを生じさせるウェブの張力低下手段と、
版替え時に該ウェブのたるみを利用して該足場の下面でウェブを押し下げながら該足場を降下させるとともに、版替え終了後、該足場を元の位置に上昇させる足場昇降手段とを備えたことを特徴とするオフセット輪転印刷機の版替え装置。
【請求項７】
前記分割足場又は足場の下部にウェブを走行方向にガイドするガイド手段を設けたことを特徴とする請求項５又は６のいずれかに記載のオフセット輪転印刷機の版替え装置。
【請求項８】
前記分割足場又は足場を固定部に上下方向に設けたリニアレールに沿って昇降するリニアガイドに取り付け、該固定部に設けたエアシリンダにより昇降可能に構成した請求項５乃至７のいずれか１項に記載のオフセット輪転印刷機の版替え装置。
【請求項９】
請求項５〜８に記載された版替え装置を備えたことを特徴とするオフセット輪転印刷機。
【発明の詳細な説明】
【技術分野】
【０００１】
本発明は、オフセット輪転印刷機、特に版胴の径を変更可能なバリアブルカットオフ輪転機において、印刷ユニットに設けられた版胴の版替えを行う場合に、印刷ユニット間に架設された足場から作業員による版替えが容易にできるようにした版替え方法及び装置に関する。
【背景技術】
【０００２】
オフセット輪転印刷機の印刷部は、複数の印刷ユニットで構成され、各印刷ユニットには、ウェブを挟んでウェブの上部に上側ブランケット胴及び上側版胴が設けられ、ウェブの下部に下側ブランケット胴及び下側版胴が設けられ、上側版胴に巻回された刷版の絵柄が上側ブランケット胴を介してウェブの上面に転写され、下側版胴に巻回された刷版の絵柄が下側ブランケット胴を介してウェブの下面に転写される。
各印刷ユニットは、それぞれシアン、イエロー、マゼンダ及びブラックを印刷する印刷ユニットからなり、これらの混色を利用してカラー印刷を行う。これら印刷ユニット間にはほぼ人間の胸の高さに足場が掛け渡され、作業員がその足場に登ってインキ交換や各種ロール群のメンテナンス、及び版替え作業を行なっている。
【０００３】
印刷機用の保守点検用の足場装置としては、例えば特許文献１（特開平１１−１９８３４１号公報）に、多色刷印刷機などの印刷ユニット間に架設されるステップ装置が開示されている。また特許文献２（特開２００１−３１５２９５号公報）には、ステップ板をパンタグラフ機構等の昇降手段によって昇降可能にした足場装置が開示されている。また特許文献３（特開２００２−２９０２３号公報）には、印刷ユニットに対して作業位置と待機位置との間で移動自在であり、かつ移動軌跡が版交換装置と干渉しない位置に配置されている足場装置が開示されている。
【０００４】
【特許文献１】特開平１１−１９８３４１号公報
【特許文献２】特開２００１−３１５２９５号公報
【特許文献３】特開２００２−２９０２３号公報
【発明の開示】
【発明が解決しようとする課題】
【０００５】
このような従来のオフセット輪転印刷機において、版胴に巻回された刷版を取り替える作業は、まず刷版の一方の端部を取り外し、版胴を１回転させながら刷版を外していき、最後にもう一方の端部を取り外す作業を行なう。次に新しい刷版を取り外し時と逆の順序で版胴を１回転させながら取り付けるようにする。
【０００６】
かかる版替え作業を上側版胴においては、印刷ユニット間に架設された足場から行うが、特に版胴の径を変更可能なバリアブルカットオフ輪転機の場合、版胴の径を変更可能とする装置等を設置するため、構造上足場から上側版胴までの距離が長く、また上側版胴の高さは、足場上面に対して近い位置にあり、作業員が上側版胴の版替えを行う場合、しゃがみ込んで手を伸ばしながら足元に近い高さにある版胴から無理な姿勢で旧刷版を取り除き、新刷版に取り替えるという姿勢の苦しい非常に骨の折れる作業をしなければならなかった。その為、版の取付け精度が不安定になると共に、版交換に多くの時間がかかっていた。かかる作業を解決する手段又は手法は、特許文献１〜３には何ら開示されていない。
【０００７】
前記作業を改善するため、足場を下げた位置に配置しようとしても、足場の下方にはウェブの走行路（ウェブパスライン）があり、足場がウェブに接触するおそれが出てくるため、足場を下げて配置できない。印刷ユニット間においては、印刷ユニットでウェブに印刷された直後であるため、インキが乾いておらず、そのため各印刷ユニット間ではブランケット胴以外はウェブとの接触をなくしている。一方、下側版胴の版替え作業は、印刷ユニット間に架設された足場に乗る必要はなく、床面に設けられた架台上で比較的楽な姿勢で行なうことができる。
【０００８】
本発明は、かかる従来技術の課題に鑑み、オフセット輪転印刷機の印刷ユニットの上側版胴の版替えを楽な姿勢で容易にかつ正確に精度良く行なえるようにした版替え方法及び装置を実現することを目的とする。
【課題を解決するための手段】
【０００９】
前記目的を達成するため、本発明のオフセット輪転印刷機の版替え方法に係る第１の発明は、ウェブの走行路に沿って間隔を置いて配置された複数の印刷ユニット間に架設された足場から版胴に巻回された刷版を取り替えるオフセット輪転印刷機の版替え方法において、
前記足場のうち版交換作業する側の一部を分割し、ウェブ走行路の上方で昇降可能に配置し、前記印刷ユニットでウェブを両面からニップするブランケット胴間に隙間をもたせることによりインフィード部から該印刷ユニットを経て乾燥部に亘る領域でウェブの開放領域を形成するステップと、該開放領域におけるウェブのたるみを利用して該分割された足場の下面でウェブを押し下げながら、該分割足場を上側版胴の版替えに都合の良い位置まで降下させるステップと、その後該分割足場上で上側版胴の版替えを行なうステップとからなるものである。
【００１０】
また版替え方法に係る前記第１の発明を実施するための版替え装置に係る第１の発明は、ウェブの走行路に沿って間隔を置いて配置された複数の印刷ユニット間に足場を架設し、該足場から版胴に巻回された刷版を取り替えるオフセット輪転印刷機の版替え装置において、
前記足場をウェブ走行路の上方に配置するとともに、該足場のうち、版交換作業する側の一部を分割して上下に昇降可能に構成し、前記印刷ユニットでウェブを両面からニップするブランケット胴間に隙間をもたせることによりインフィード部から該印刷ユニットを経て乾燥部に亘る領域でウェブの開放領域を形成する手段と、版替え時に該開放領域におけるウェブのたるみを利用して該分割された足場の下面でウェブを押し下げながら該分割足場を降下させるとともに、版替え終了後該足場を元の位置に上昇させる足場昇降手段とを備えたものである。
【００１１】
版替え方法及び装置に係る前記第１の発明においては、印刷ユニット間に架設された足場のうち、版交換作業を行なう側の一部を分割し、分割した部分をウェブ走行路の上方で昇降可能に配置する。
このような構成とした上で版交換作業を行なう場合は、まず印刷ユニットでウェブを両面からニップするブランケット胴間に隙間をもたせることによりインフィード部から該印刷ユニットを経て乾燥部に亘る領域でウェブをニップする部分がない開放領域を形成する。
該開放領域では、ウェブをニップする部分がないので、ウェブのたるみが形成される。このウェブのたるみを利用して前記分割足場の下面でウェブを徐々に押し下げることにより、該開放領域の全域に亘るウェブのたるみを該分割足場に集中させる。
【００１２】
該分割足場でウェブを徐々に押し下げながら該分割足場を上側版胴の版替えに都合の良い位置まで降下させる。従って、ウェブに過度の張力を発生させることなく、ウェブを傷付けたり破断させたりすることがない。該分割足場が版替え作業に適した位置まで下降したら、作業員が該分割足場に乗って上側版胴の版替えを行なう。
この第１の発明では足場の一部を分割した足場を昇降させるので、該分割足場の降下量を比較的少なく抑えれば、給紙部又はインフィード部からのウェブ送りを行なわなくても、前記開放領域に発生したたるみ量のみで版替え作業を楽な姿勢で行なえる位置まで降下することができる。
【００１３】
このように第１の発明では、印刷ユニット間に架設された足場のうち、版交換作業する側の一部を分割して昇降可能に構成し、しかも作業員が楽な姿勢で版替えできるだけの比較的短い距離だけ降下するため、インフィード部から該印刷ユニットを経て乾燥部に亘る領域でウェブのニップ部のない開放領域を形成することにより、該開放領域で該分割足場の降下に十分なたるみを保有できる。該開放領域で保有しているたるみを、版替えを行なう印刷ユニットに集中させれば、版替え作業を楽な姿勢で行なえる位置まで該分割足場を降下させることができる。
【００１４】
本発明の版替え方法に係る第２の発明は、ウェブの走行路に沿って間隔を置いて配置された複数の印刷ユニット間に架設された足場から版胴に巻回された刷版を取り替えるオフセット輪転印刷機の版替え方法において、
前記足場を版替え時ウェブ走行路の上方で昇降可能に配置し、前記印刷ユニットでウェブを両面からニップするブランケット胴間に隙間をもたせることにより、インフィード部から該印刷ユニットを経て乾燥部に亘る領域でウェブの開放領域を形成するステップと、給紙部又はインフィード部でウェブ送りを行なってインフィード部から該印刷ユニットを経て乾燥部に亘る領域でウェブのたるみを生じさせるステップと、該ウェブのたるみを利用して該足場の下面でウェブを押し下げながら該足場を最下部付近まで降下させるステップと、その後、該足場上で上側版胴の版替えを行なうステップとからなるものである。
【００１５】
また版替え方法に係る前記第２の発明を実施するための版替え装置に係る第２の発明は、ウェブの走行路に沿って間隔を置いて配置された複数の印刷ユニット間に足場を架設し、該足場から版胴に巻回された刷版を取り替えるオフセット輪転印刷機の版替え装置において、
前記足場をウェブ走行路の上方に昇降可能に配置し、前記印刷ユニットでウェブを両面からニップするブランケット胴間に隙間をもたせることによりインフィード部から該印刷ユニットを経て乾燥部に亘る領域でウェブの開放領域を形成する手段と、給紙部又はインフィード部でウェブ送りを行なって該開放領域でウェブのたるみを生じさせるウェブの張力低下手段と、版替え時に該ウェブのたるみを利用して該足場の下面でウェブを押し下げながら該足場を降下させるとともに、版替え終了後該足場を元の位置に上昇させる足場昇降手段とを備えたものである。
【００１６】
版替え方法及び装置に係る前記第２の発明では、まず印刷ユニットでウェブをニップするブランケット胴間に隙間をもたせてウェブのニップを解き、インフィード部から該印刷ユニットを経て乾燥部に亘る領域でウェブの開放領域を形成する。
次に給紙部又はインフィード部でウェブ送りをすることによって該開放領域でウェブのたるみを生じさせる。これにより、前記昇降足場の降下量を多くしてもそれに追随できるだけの十分なウェブのたるみを発生させることができ、版替えに係る作業を容易にすることができる。
【００１７】
その後、ウェブのたるみを利用して昇降可能な該足場の下面でウェブを押し下げながら該足場を最下部付近まで降下させ、その後作業員が該足場に乗って上側版胴の版替えを行なうようにする。
前述のように、予め給紙部又はインフィード部でウェブ送りを行なっているので、足場を最下部付近まで降下させてもウェブのたるみに十分余裕があり、ウェブに過大な張力を発生させることがないため、ウェブを傷付けたり破断させたりすることがない。またウェブのたるみに十分余裕があるため、足場を床面に近い位置まで降下できるので、作業員がはしご等を使用しなくても容易に足場に乗ることができる。
【００１８】
このように版替え作業を行なうのに楽な姿勢となる位置まで足場を降下させて版替えを行なうことができるので、版替え作業を容易に短時間でかつ正確に精度良く行なうことができる。
なお版替えを終了した後、通常の印刷運転を行なうためには、給紙部の巻取紙の巻き戻し等によりたるんだウェブの巻き戻しを行う必要がある。
【００１９】
版替え方法に係る前記第１の発明又は第２の発明において、該分割足場又は足場の下面でウェブをガイドしながらインフィード部から印刷ユニットを経て乾燥部に亘る領域におけるウェブのたるみを該足場に集中させる場合、好ましくは、ウェブが接触する該分割足場又は足場の下面が低摩擦面となるように表面処理するか、又は表面加工を施すとよい。
例えば、該下面のエッジをＲ面取りしたり、あるいはテフロン（登録商標）等のフッ素系コーティング剤でコーティングしたりする。これによってウェブのキズや破れ等の原因となる足場下面とウェブとの摩擦を抑えながら足場をスムーズに昇降することができる。
【００２０】
また、版替え方法及び装置に係る前記第１の発明又は第２の発明において、好ましくは、該分割足場又は足場のウェブが接する下面に例えばガイドローラ等のガイド手段を設け、該ガイド手段によりウェブを走行方向にガイドしながら足場下面でウェブを押し下げるようにすれば、同様に足場下面とウェブとの摩擦を抑えながら足場をスムーズに昇降することができる。
また該ガイド手段として、足場下面とウェブとの間にエアを吹き込むようにしてもよい。これにより、ウェブのキズや破れ等の原因となる摩擦をより一層抑えながら足場をスムーズに昇降することができる。
【００２１】
また、前記分割足場又は足場を昇降させる手段として、該分割足場又は足場を固定部に上下方向に設けたリニアレールに沿って昇降するリニアガイドに取り付け、該固定部に設けたエアシリンダにより昇降可能に構成するとよい。かかる構成によれば、足場の昇降手段の構成を簡素化でき、かつ昇降する足場を十分な強度で支持することができる。
【００２２】
また本発明は、前記構成の版替え装置を備えたオフセット輪転印刷機に係る。前記構成の版替え装置を備えたことにより、作業員が楽な姿勢で上側版胴の版替え作業を行なうことができ、これによって版を短時間で正確に精度良く取り付けることができる。
【発明の効果】
【００２３】
本発明の版替え方法及び装置に係る第１の発明によれば、足場の版交換作業する側の一部を分割して昇降可能にし、開放領域で生じるウェブのたるみを利用して足場の下面でウェブを押しながら分割足場を降下させるので、ウェブを傷つけたり又は破断したりすることなく該分割足場を降下でき、作業員が楽な姿勢で上側版胴の版替え作業を行なうことができ、これによって版を短時間で正確に精度良く取付けることができる。
【００２４】
しかも分割された足場の一部のみを比較的少ない降下量だけ降下させるようにするので、給紙部又はインフィード部でウェブ送りをすることによってウェブのたるみを生じさせる必要はなく、インフィード部から乾燥部に至る領域で保有するウェブのたるみを利用するだけであるので、第２の発明のように、ウェブの送りを可能とする設備を必要としない。従ってオフセット輪転印刷機の設備及び版替え操作を簡素化できる。
【００２５】
本発明の版替え方法及び装置に係る第２の発明によれば、足場をウェブの上方で昇降可能に構成し、印刷ユニットでウェブを両面からニップするブランケット胴間に隙間をもたせてウェブの送りを可能とした上で、給紙部又はインフィード部でウェブ送りを行なうため、ウェブを該昇降足場の部分で十分たるませることができる。
そのため足場の降下量を多くして、足場を最下端付近まで降下できるとともに、歩み板の面積が広い足場を降下できるので、作業員がはしご等を使わずに容易に足場に乗ることができるとともに、足場上の作業員の版替え作業を容易にすることができる。
【００２６】
このように、ウェブのたるみ量に余裕を持たせることができるので、ウェブに過度の張力を発生させることなく、またウェブを傷つけ又は破断させることなく足場を作業員が楽な姿勢で版替え作業を行なうことができる位置まで降下できる。これによって作業員が楽な姿勢で上側版胴の版替えを行うことができ、版を短時間で正確に精度良く取付けることができる。
【発明を実施するための最良の形態】
【００２７】
以下、本発明を図に示した実施形態を用いて詳細に説明する。但し、この実施形態に記載されている構成部品の寸法、材質、形状、その相対配置などは特に特定的な記載がない限り、この発明をそれのみに限定する趣旨ではない。
図１は本発明の第１発明に係る実施形態（実施形態１）を示す立面図、図２は前記実施形態１の平面図、図３は図１中のＸ−Ｘ断面図、図４は図１中のＹ−Ｙ断面図、図５は図１中のＴ方向から視た平面図である。
図６は、本発明の第２発明に係る実施形態（実施形態２）を示す立面図、図７は前記実施形態２の平面図、図８は前記実施形態２の左側面図、図９は図８中のＺ−Ｚ断面図である。
（第１発明の実施形態）
【００２８】
まず、図１０の従来の一般的なオフセット輪転印刷機を概念的に示す全体説明図を用いて、オフセット輪転印刷機の全体構成について説明する。
図１０において、オフセット輪転印刷機０１の給紙部０３にはロール状巻取紙０１３が装着されるリールスタンドを備えており、印刷稼動の途中で新、旧巻取紙を互いに接続して連続的にウェブ０１１を繰り出すべく機能している。
【００２９】
またインフィード部０４は、ロール状巻取紙０１３から連続的にウェブ０１１を引き出す部分であり、例えば印刷部０２にウェブ０１１を引き渡すための給紙ドラッグロール０１６と該ドラッグロール０１６との間隔を変更可能なダンサロール０１４とを具えており、ダンサロール０１４によってウェブ０１１に加わる張力を適宜コントロールしている。あるいはエアシリンダによる加圧力が付加されてウェブに一定の張力を加えるバランスウェイトローラを具える場合もある。インフィード部０４で張力をコントロールされたウェブ０１１は、ガイドローラ０１８を経て印刷部０２に送られる。
【００３０】
印刷部０２には、通常インキ色の異なる複数組の印刷ユニット０５ａ〜０５ｄがウェブ走行方向に沿って並設されており、それぞれの印刷ユニットで版胴０１５ａ、０１５ｂ及びブランケット胴０１７ａ、０１７ｂが設けられ、ウェブ０１１は、版胴０１５ａ、０１５ｂの絵柄をブランケット胴０１７ａ、０１７ｂを介して転写される。この印刷部０２では、ウェブ０１１を各印刷ユニット０５ａ〜０５ｄへ順次通紙させることによって多色印刷ができるようになっている。
【００３１】
なお、各印刷ユニット間の間隔は、実際は印刷ユニットの幅と同じくらい広く、印刷ユニット間にはウェブ０１１の上方に足場（図示略）が設けられて、作業員がその足場に登って各印刷ユニットのインキ交換や各種ロール群のメンテナンス、及び版替え作業等を行なっている。
印刷ユニット０５ａ〜０５ｄで印刷されたウェブ０１１は、乾燥部０７に送られ、加熱乾燥された後、冷却部０８に送給され冷却される。冷却されたウェブ０１１は、折部０９で裁断・折畳まれ、目的とする折帖に形成されて外部へ搬出される。
【００３２】
次に本発明の第１発明の実施形態（実施形態１）を図１〜５に基づいて説明する。本実施形態は、オフセット輪転印刷機のバリアブルカットオフ輪転機において、複数の印刷ユニットのうち図１０の印刷ユニット０５ａに相当する印刷ユニット５ａの版替えを行なう場合の実施形態であり、図１、２において、ウェブ１１は、給紙側から排紙側へ向かって矢印ｅ方向に走行し、該印刷ユニット５ａの内部で上下版胴１５ａ又は１５ｂの絵柄を上下ブランケット胴１７ａ又は１７ｂを介して転写される。印刷ユニット５ａのフレーム端６ａと排紙側に隣接された印刷ユニット５ｂのフレーム端６ｂ（図２）との間に固定された足場２０がウェブ１１の走行路の上方でほぼ水平に該印刷ユニット間に架設され、固定足場２０の給紙側端部は、固定足場２０と分割され昇降可能に構成された分割足場３０が設けられている。
【００３３】
分割足場３０と版胴１５ａ、１５ｂとの間には、防護のための上下プロテクタ２１ａ及び２１ｂが設けられ、該上下プロテクタは、通常印刷運転の時は防護のためａ位置に置かれて、印刷ユニットの内部を遮蔽し、版替え時は版替え作業のじゃまにならないようにｂ位置に回動される。また上ブランケット胴１７ａと分割足場３０との間にはインキミスト受け皿２２が設けられている。
【００３４】
分割足場３０の支持構造４０は、図３〜図５に示すように、印刷ユニット５ａの左右両側の印刷ユニットフレーム２３に取り付けられた取付台４１と、該取付台４１に上下方向に固定された左右２個ずつ合計４個のエアシリンダ４２と、上下方向に配置されエアシリンダ４２のシリンダロッド４２ａにシリンダロッド受け４３を介して接続された昇降板４４と、エアシリンダ４２に挟まれた位置に取付台４１に垂直方向に取り付けられたリニアレール４５とから構成される。
【００３５】
支持構造４０に対し、分割足場３０は、作業員が乗るステップ面を形成する歩み板３１と、歩み板３１の下面にローラ受け３２及び３３によって正逆に回転可能に取り付けられた紙押えローラ３４と、昇降板４４に取付けられリニアレール４５に案内されて垂直方向に動くリニアガイド３５とから構成され、歩み板３１のウェブ紙幅方向両側縁部が昇降板４４に結合部３６で結合されている。
【００３６】
かかる構成の本実施形態において、印刷運転時には、ウェブ１１は給紙側から排紙側に実線で示す走行路ｃを矢印ｅ方向に走行し、上下ブランケット胴１７ａと１７ｂとでニップされた状態で該ブランケット胴から絵柄が転写される。
印刷運転を止め、版替えを行なう時は、まず上下に配置されたプロテクタ２１ａ及び２１ｂをａ位置からｂ位置に回動させる。次に上下版胴１５ａ、１５ｂ及び上下ブランケット胴１７ａ、１７ｂ間に隙間を設け、ウェブ１１の上下ブランケット胴１７ａ及び１７ｂによるニップを解除する。
【００３７】
上下ブランケット胴１７ａ及び１７ｂによるニップを解除したことにより、ウェブ１１は、図１０に示すインフィード部０４のドラッグロール０１６から印刷ユニット０５ａ〜０５ｄ、乾燥部０７を経て、冷却シリンダ０１９までの領域でニップ箇所のない開放された領域を形成する。
その後図示しない操作盤に設けられたスィッチを押してエアシリンダ４２を作動させ、分割足場３０の降下を開始する。歩み板３１を徐々に下降させ、歩み板３１の下面に設けられた紙押えローラ３４でウェブ１１を押し下げるとともに、ウェブ１１の走行方向ｅへの送り又は戻りをガイドしながら、インフィード部０４のドラッグロール０１６から冷却部０８の冷却シリンダ０１９までの領域のウェブ１１のたるみを吸収していく。これによってウェブ走行路はｃからｄの軌跡に移行する。
【００３８】
このように歩み板３１を徐々に１５０ｍｍほど下降させたら、そこで下降を止める。なお、紙押えローラ３４によりウェブ１１をガイドしながら下降するので、ウェブ１１を傷付けたり又は破断させたりすることはない。分割足場３０を下降させた後、作業員が梯子（図示略）を介して固定足場２０に登り、固定足場２０から該分割足場３０の歩み板３１に乗り、版替え作業を行なう。
【００３９】
従来のように、分割足場３０を下降させない状態で上側版胴１５ａの版替え作業を行なおうとすると、作業員は歩み板３１上にしゃがんで足元付近の高さで遠くまで手を伸ばさなければならなかった。これに対し本実施形態では、作業員は下降させた分割足場３０に載って版替え作業を行なうので、足元より高い位置で作業することになり非常に楽な姿勢で上側版胴１５ａの版替え作業を行なうことができる。
なお、下側版胴１５ｂの版替え作業は、固定足場２０や分割足場３０に乗る必要はなく、作業員が床面に設けられた印刷ユニットの低い架台に乗って比較的楽な姿勢で行なうことができる。
【００４０】
また、本実施形態によれば、インフィード部０４のドラッグロール０１６と冷却部０８の冷却シリンダ０１９との間の領域のニップ部のない開放されたウェブのたるみを版替えする印刷ユニットに集めることにより、ウェブ１１を下方にたるませることができる。このため、特にロール状巻取紙０１３によりウェブ送りをさせる機構を必要とせず、容易に版替え作業を行なうことができる。
【００４１】
さらに本実施形態によれば、歩み板３１の下面に紙押えローラ３４を装着しているので、歩み板３１でウェブ１１を押してもウェブ１１の送りを滑らかにガイドできるため、ウェブ１１を傷付けるおそれがない。
（第２発明の実施形態）
【００４２】
次に本発明の第２発明の実施形態（実施形態２）を図６〜図９に基づいて説明する。本実施形態は、オフセット輪転印刷機のバリアブルカットオフ輪転機に適用した実施形態であり、図６〜９において図１〜５に示す前記第１発明の実施形態と同一部位については同一の符号を付し、それら部位の説明を省略する。図６〜図８において、印刷ユニット５ａのフレーム端６ａと隣接された印刷ユニット５ｂのフレーム端６ｂとの間に架設された足場は、ウェブ走行方向前後側の固定足場６１及び６２を除いて、中央の大部分が昇降可能な昇降足場５０で構成されている。
【００４３】
固定足場６１と版胴１５ａ、１５ｂとの間には、防護のための上下プロテクタ２１ａ及び２１ｂが設けられ、該上下プロテクタは、通常印刷運転の時は防護のためａ位置に置かれて、印刷ユニットの内部を遮蔽し、版替えの時はｂ位置に回動される。また上ブランケット胴１７ａと固定足場６１との間にはインキミスト受け皿２２が設けられている。
【００４４】
昇降足場５０は、水平に配置された歩み板５１と、歩み板５１のウェブ走行方向前後端に設けられた一対の紙押えローラ５２とで構成され、紙押えローラ５２の下端は、昇降足場５０が下降したときにウェブ１１をガイドするように歩み板５１の下面より下方に位置している。なお紙押えローラ５２を含む歩み板５１の構成は、図１〜５に示す前記実施形態１と同一の構造をしており、図６〜８では図１〜５と比べて模式化して図示している。
また印刷ユニット５ａ及び５ｂのウェブ走行路に面したフレーム端６ａ及び６ｂにはガイドローラ６３及び６４が設置され、固定側からもウェブ１１をガイドするようになっている。なおガイドローラ６３及び６４は、印刷運転時ウェブ１１が該ガイドローラに接触しないように運転時のウェブ１１の高さよりも若干下方に設置されている。
【００４５】
歩み板５１下面の一方の側端には２個のブラケット５３が取り付けられている。また印刷ユニット５ａ、５ｂの下部架台６５間に架設された架台６６と、固定足場６１及び６２と同一高さで該印刷ユニット間に水平方向に架設された支持板６７との間に、２組の支柱６８及び昇降用シリンダ（ロッドレスシリンダ）６９がウェブ走行方向に並んで立設されている。また各支柱６８には上下方向にリニアレール７１が取り付けられ、図９に示すように、ブラケット５３に一体に取り付けられたリニアガイド５４がリニアレール７１に摺動可能に案内されるとともに、ブラケット５３に一体に接続された昇降環５５が昇降用シリンダ６９に昇降可能に嵌合されており、ブラケット５３は昇降用シリンダ６９によって昇降環５５を介して上下に摺動されるように構成されている。これによって歩み板５１はブラケット５３とともに上下に昇降可能となっている。
【００４６】
なお図７、８に示すように、支柱６８及び昇降用シリンダ６９等からなる歩み板５１の昇降機構は、ウェブ紙幅方向の一方側のみに設けられる。また歩み板５１の下面にはエアシリンダ５６が四隅に取り付けられ、エアシリンダ５６のピストンロッドに取り付けられたストッパ５６ａがエアシリンダ５６の作動によりウェブ１１の紙幅方向外側に突出するように構成されている。また歩み板５１の最上昇位置及び最下降位置を検出する位置検知センサ７２及び７３が支柱６８に設けられている。
【００４７】
該最上降位置及び最下降位置のフレーム端６ａ及び６ｂにはストッパプレート７４及び７５が設けられ、該ストッパプレートにはストッパ５６ａが挿入される凹溝７４ａ及び７５ａが設けられている。歩み板５１が該最上昇位置又は最下降位置に到達すると、該位置検知センサ７２又は７３がそれを検知してエアシリンダ５６を作動させてストッパ５６ａを突出させ、ストッパ５６ａが凹溝７４ａ又は７５ａに挿入されることにより、歩み板５１の四隅が最上昇位置又は最下降位置で印刷ユニット５ａ及び５ｂに固定される。なお位置検知センサ７２及び７３は接触式又は非接触式のどちらでも適用可能である。
【００４８】
かかる構成の本実施形態において、ウェブ１１は、印刷運転中給紙側から排紙側（図６又は図７の矢印ｅ方向）に送られて印刷運転されるが、印刷運転中昇降足場５０は固定足場６１、６２と同一高さの位置に保持される。印刷ユニット５ａの版替えを行なう時は、まず上下に配置されたプロテクタ２１ａ及び２１ｂをａ位置からｂ位置に回動させる。次に上下版胴１５ａ、１５ｂ及び上下ブランケット胴１７ａ、１７ｂ間に隙間を開け、ウェブ１１の上下ブランケット胴１７ａ及び１７ｂによるニップを解除する。
【００４９】
これによって図１０においてインフィード部０４のドラッグロール０１６から印刷ユニット０５ａ〜０５ｄを経て冷却部０８の冷却シリンダ０１９までの領域のウェブをニップ箇所のない開放領域とする。
次にインフィード部０４のダンサロール０１４をドラッグロール０１６側に近づけてウェブ１１の張力低下を行なうか、あるいはロール状巻取紙０１３からウェブ１１を印刷部０２側に繰り出して前記領域でウェブ１１のたるみを生じさせる。
【００５０】
次に、図示しないスィッチを操作して昇降用シリンダ６９を作動させ昇降足場５０をリニアレール７１に沿って徐々に下降させる。歩み板５１の前後端下面に取り付けた紙押えローラ５２によってウェブ１１を押し下げることにより、前記開放領域のウェブ１１のたるみを印刷ユニット５ａと５ｂ間の昇降足場５０に集中させながら昇降足場５０を徐々に降下していく。
この場合、ウェブ１１は紙押えローラ５２及びガイドローラ６３、６４によってガイドされる。これによって図６に示すように、ウェブ１１の走行ラインは運転中の走行路ラインｃからラインｄに移行する。
【００５１】
このように、紙押えローラ５２でウェブ１１を押し下げながら昇降足場５０を下降させ、昇降足場５０が最下降位置に到達し停止する。同時に位置検知センサ７３が昇降足場５０を検知し、この検知信号によってエアシリンダ５６が作動してストッパ５６ａが歩み板５１の側縁からウェブ紙幅方向外側に突出し、ストッパプレート７５の凹溝７５ａに挿入されることにより、昇降足場５０がその位置で固定される。
【００５２】
次に、作業員が昇降足場５０の歩み板５１に乗って上側版胴１５ａの版替え作業を行なう。なお下側版胴１５ｂの版替え作業は、昇降足場５０に乗らなくとも、印刷ユニットの下部架台６５に乗り作業することで容易に版替え作業を行なうことができる。
【００５３】
本実施形態によれば、印刷ユニット５ａと５ｂ間に架設される足場の主要部を占める昇降足場５０を昇降可能に構成し、該昇降足場を架台６６の上面に近い位置まで降下させるので、作業員が梯子を使わなくても容易に昇降足場５０の歩み板５１に乗ることができる。
しかも、印刷ユニット５ａ及び５ｂ間の足場の主要部を占める昇降足場５０を降下させるので、歩み板５１の面積が広く、作業員が楽に版替え作業を実施することができる。
【００５４】
なお版替えを終了した後、エアシリンダ５６のストッパ５６ａを後退させてストッパプレート７５の凹溝７５ａに係合を解除し、昇降用シリンダ６９を作動させて昇降足場５０を上昇させる。昇降足場５０が最上昇位置に到達した時それを位置検知センサ７２が検知することにより、ストッパ５６ａが突出し上部ストッパプレート７４の凹溝７４ａに挿入され、昇降足場５０がウェブ１１の上方で固定足場６１及び６２と同一高さの前記最上昇位置に固定される。位置検知センサ７２が昇降足場５０を検知した後でないと、印刷運転ができないようにインターロック機構が作動するように構成されている。
【００５５】
その後、給紙部０３のロール状巻取紙０１３の巻き戻し等によりたるんだウェブの巻き戻しを行う。本実施形態では、版替え作業前にインフィード部０４又は給紙部０３でウェブ１１の巻き出しを行い、また版替え作業を終えた後巻き出したウェブを巻き戻す必要があるため、これが可能な装置のみに適用できる。またインフィード部０４又は給紙部０３でウェブの巻き出しを行なうため、ウェブに十分なたるみを生じさせることができ、そのため複数の印刷ユニットで同時に版替え作業を行なうことができる。
【産業上の利用可能性】
【００５６】
本発明によれば、オフセット輪転印刷機、特にバリアブルカットオフ輪転機のような版胴が足場から離れた位置にあるオフセット輪転機に適用して好適であり、版替え作業を大掛かりな装置を必要とすることなく容易に行なうことができる。このため、版替えに係る作業員の疲労を軽減できるとともに、作業負荷を軽くすることができ、かつ、版取付けが正確にでき、精度の良い版付けになる。
【図面の簡単な説明】
【００５７】
【図１】本発明の第１発明に係る実施形態を示す立面図である。
【図２】前記実施形態の平面図である。
【図３】図１の中のＸ−Ｘ断面図である。
【図４】図１中のＹ−Ｙ断面図である。
【図５】図４中のＴ方向から視た平面図である。
【図６】本発明の第１発明に係る実施形態を示す立面図である。
【図７】前記実施形態の平面図である。
【図８】前記実施形態の右側面図である。
【図９】図８中のＺ−Ｚ断面図である。
【図１０】従来の一般的なオフセット輪転印刷機を概略的に示す全体構成図である。
【符号の説明】
【００５８】
０１                  オフセット輪転印刷機
０２                  印刷部
０３                  給紙部
０４                  インフィード部
０５ａ、０５ｂ、０５ｃ、０５ｄ、５ａ、５ｂ  印刷ユニット
０７                  乾燥部
０８                  冷却部
０９                  折部
０１１、１１、ｃ、ｄ  ウェブ走行路
０１３                ロール状巻取紙
０１４                ダンサロール
０１５ａ、０１５ｂ、１５ａ、１５ｂ          上下版胴
０１７ａ、０１７ｂ、１７ａ、１７ｂ          上下ブランケット胴
２０                  固定足場
３０                  分割足場
３１、５１            歩み板
３４、５２            紙押えローラ
３５、５４            リニアガイド
４２、５６            エアシリンダ
４４                  昇降板
４５、７１            リニアレール
５０                  昇降足場
５３                  ブラケット
５５                  昇降環
５６ａ                ストッパ
６８                  支柱
６９                  昇降用シリンダ（ロッドレスシリンダ）
７２、７３            位置検知センサ
７４、７５            ストッパプレート
７４ａ、７５ａ        凹溝
【図１】
2008087360.tif 000003
【図２】
2008087360.tif 000004
【図３】
2008087360.tif 000005
【図４】
2008087360.tif 000006
【図５】
2008087360.tif 000007
【図６】
2008087360.tif 000008
【図７】
2008087360.tif 000009
【図８】
2008087360.tif 000010
【図９】
2008087360.tif 000011
【図１０】
2008087360.tif 000012